(57)【要約】  洗濯機のバランスリングであって、バランスリング本体（２）を含み、前記バランスリング本体（２）の外周には環状リブ（４）が設けられており、バランスリング本体（２）は環状リブ（４）に接続され、前記バランスリング本体（２）と環状リブ（４）の間には複数の排水孔（５）が設けられている。前記環状リブ（４）とバランスリング本体（２）は接続構造を介して接続され、前記接続構造には複数の排水孔（５）が設けられている。更に、前記バランスリングを備える洗濯機内槽を開示する。バランスリングは槽体（１）の投入口に装着されている。前記環状リブ（４）は槽体（１）の上端に固定接続されており、槽体（１）と槽底（３）はいずれも密封構造である。当該洗濯機内槽は排水がより円滑となり、上端のバランスリングの影響を受けることがない。且つ、洗浄水が槽壁沿いに上昇して排水孔から溢れるとの事態を効果的に阻止可能である。また、内槽とバランスリングとの固定強度にいっそう優れ、洗濯機の脱水運転時における内槽の歪みが小さいことから、洗濯機の脱水運転時の振動・騒音が減少する。【選択図】図２
2019537465.tif 000002
【特許請求の範囲】
【請求項１】
バランスリング本体を含む洗濯機のバランスリングにおいて、
前記バランスリング本体の外周には環状リブが設けられており、バランスリング本体は環状リブに接続され、前記バランスリング本体と環状リブの間に複数の排水孔が設けられていることを特徴とするバランスリング。
【請求項２】
前記環状リブとバランスリング本体は接続構造を介して接続され、前記接続構造には複数の排水孔が設けられていることを特徴とする請求項１に記載の洗濯機のバランスリング。
【請求項３】
前記接続構造は補強リブを含み、前記バランスリング本体と環状リブは複数の補強リブを介して接続され、隣接する補強リブの間に隙間を備えて排水孔を形成しており、
或いは、前記接続構造は環状プレートを含み、前記バランスリング本体と環状リブは環状プレートを介して接続され、環状プレートには複数の排水孔が分布していることを特徴とする請求項２に記載の洗濯機のバランスリング。
【請求項４】
前記接続構造は、バランスリング本体に設けられた外周に向かって突出する外環状突出リブを含み、前記環状リブの上端は内側に屈曲して外環状突出リブに固定接続され、前記外環状突出リブには複数の排水孔が設けられていることを特徴とする請求項２に記載の洗濯機のバランスリング。
【請求項５】
前記バランスリング本体には環状の堰止リブが設けられており、環状の堰止リブはバランスリング本体の外周に向かって突出しており、前記環状の堰止リブは排水孔における排水端の上方に設けられていることを特徴とする請求項１〜４のいずれかに記載の洗濯機のバランスリング。
【請求項６】
前記バランスリング本体の下端には下向きの下環状リブが設けられており、下環状リブの外壁と環状リブの内壁の間に隙間を備えて排水路を形成していることを特徴とする請求項１〜５に記載の洗濯機のバランスリング。
【請求項７】
槽体と、槽体の下部に装着される槽底を含み、請求項１〜６のいずれかに記載の洗濯機のバランスリングを備える洗濯機内槽において、
前記バランスリングは槽体の投入口に装着されており、前記環状リブは槽体の上端に固定接続されており、槽体と槽底はいずれも密封構造であることを特徴とする洗濯機内槽。
【請求項８】
バランスリングの環状リブは槽体の投入口に挿入され、前記槽体の上端と環状リブが固定接続され、
好ましくは、前記槽体の上端が外側から内側に屈曲して環状リブを覆い、槽体の上端と環状リブがリベット接合により固定されることを特徴とする請求項７に記載の洗濯機内槽。
【請求項９】
前記槽体には、内径が槽体の内径よりも小さい環状の収縮構造がバランスリングの下方に設けられており、前記収縮構造は、槽体が外側から内側に凹入することで槽体の内壁に形成される環状突起であるか、或いは、収縮構造は、槽体の内壁に円周沿いに設けられる内環状突出リブであることを特徴とする請求項７又は８に記載の洗濯機内槽。
【請求項１０】
請求項７〜９のいずれかに記載の洗濯機内槽を備える洗濯機。
【発明の詳細な説明】
【技術分野】
【０００１】
本発明は洗濯機分野に属し、具体的には、洗濯機のバランスリング、内槽及び洗濯機に関する。
【背景技術】
【０００２】
通常の全自動洗濯機は、脱水槽（内槽）の底部と側壁に多数の漏水孔を有し、水が脱水槽の内外に自由に出入り可能となっている。そのため、排水が非常に円滑であり、脱水効率が高い。しかし、洗浄時には外槽と脱水槽の間に水が存在し、外槽が貯水槽となるため、この部分の水を利用できず、大量の水が無駄となる。また、内槽及び外槽の側壁間に汚れや細菌が蓄積しやすく、人体の健康にも不利益である。
【０００３】
このような課題を解決するために、孔無し内槽を備える洗濯機が開発されている。当該洗濯機では内槽全体に密封貯水設計を採用しており、バランスリング下方の槽壁にのみ脱水孔が周設されている。内槽槽壁の中央及び下部には脱水用の貫通小孔が設けられず、洗浄やすすぎ用の水が全て内槽に集中するため、内槽は貯水洗浄槽にもなれば、遠心脱水槽にもなる。よって、実質的に、洗濯機の外槽は、脱水時に孔無し内槽から吐出された水を集結させる経路としての役割を果たすにすぎない。また、内槽は、槽底に排水口が設けられるものもあれば、槽底が完全に密封されたものもある。槽底に排水口が設けられる洗濯機の場合、排水時において、内槽はまず排水口から大部分の水を排出する。次に、遠心脱水時に内槽が高速回転することで、衣類に残った水は遠心力の働きによって孔無し内槽の槽壁沿いに上昇する。そして、槽口とバランスリングの下方に周設された脱水孔から外槽へと吐き出された後、外槽壁を経由して外槽底の排水管に集結し、外部へと排出される。また、槽底が完全に密封された洗濯機の場合には、内槽の回転数を制御することで、内槽の水を槽壁上部に周設された脱水孔から排出する。脱水に関しては上記の方式と同様である。当該洗濯機では、従来の洗濯機のような内槽と外槽との「中間層」内の水が減少するため、節水効果が平均５０％以上にも達し得る。このような洗濯機、特に、槽底が完全に密封された洗濯機では、槽壁上部の脱水孔に全面的に依存して排水を実施する。しかし、脱水孔が側壁上であってバランスリングの下方に設けられているため、排水過程がバランスリングにより大きく妨げられる。そのため、排水が十分円滑とはいえず、排水及び脱水効率に支障をきたす。
【０００４】
特許文献１は、一体的に連なる側壁と底部を含む密封式内槽を開示している。前記側壁と底部は密封式に設けられており、側壁の上部に排水溝が設けられている。また、前記側壁の上部にはバランスリングが設けられている。バランスリングの底部周辺には複数の開口が均一に配置されており、当該開口が前記排水溝を形成している。内槽の底部には駆動装置の駆動軸が挿通される装着孔が設けられ、当該駆動軸の外周と装着孔の周辺が密封接続されている。洗浄時には水流が内槽に充満し、水位が洗濯機の所定水位に達するとパルセータが回転する。そして、洗浄が完了すると、内槽が高速回転することで遠心力が発生し、内槽の水流及び衣類の水分が螺旋状の回転状態となって全てが内槽の排水溝から排出される。しかし、当該洗濯機では、洗浄時に洗浄水が急激に波立つことで、バランスリング下方の脱水孔から外槽に流入しやすい。且つ、排水時にはバランスリングの影響で排水効率が制限される。
【０００５】
これらに鑑みて、本発明を提案する。
【先行技術文献】
【特許文献】
【０００６】
【特許文献１】中国特許出願公開第２０１２１００１１７８９．１号明細書
【発明の概要】
【発明が解決しようとする課題】
【０００７】
本発明は、従来技術の瑕疵を解消し、排水がより円滑となり、上端のバランスリングの影響を受けることがなく、且つ、洗浄水が槽壁沿いに上昇して排水孔から溢れるとの事態を効果的に阻止可能であるほか、内槽とバランスリングとのリベット構造強度にいっそう優れ、洗濯機の脱水運転時における内槽体アセンブリの歪みが小さいことから、洗濯機の脱水運転時における振動・騒音が減少する節水型の洗濯機内槽と洗濯機を提供することを解決すべき技術的課題とする。
【課題を解決するための手段】
【０００８】
上記の技術的課題を解決すべく、本発明で採用する技術方案の基本思想について以下に述べる。
【０００９】
本発明の第１の目的は、バランスリング本体を含み、前記バランスリング本体の外周には環状リブが設けられており、バランスリング本体は環状リブに接続され、前記バランスリング本体と環状リブの間に複数の排水孔が設けられている洗濯機のバランスリングを提供することである。
【００１０】
従来のバランスリングの下方には環状リブが備わっており、バランスリングは下方の環状リブを介して内槽における槽体の上端に固着されていた。また、排水口が槽体上端の側壁又はバランスリングの下端に設けられており、脱水時には、水が槽体の上端まで上昇して一部が排水孔から排出されるものの、一部については上端のバランスリングに遮断されて落下するため、排水の円滑性に支障をきたしていた。これに対し、本発明では、バランスリング本体の外周に環状リブが設けられており、これらの間に複数の排水孔を設けている。そのため、排水孔が内槽の上端に位置し、且つ上下に貫通していることから、排水時にバランスリングの影響を受けることがない。よって、排水がより円滑となり、排水及び脱水効率がいっそう高まる。また、排水孔の位置がより高くなっているため、洗浄時の回転数が低い場合には、水が洗浄時の遠心力によって槽壁沿いに上昇したとしても、上端において槽内に落下する。よって、洗浄水が槽壁沿いに上昇して上方の排水孔から溢れるとの事態を効果的に阻止可能となる。
【００１１】
更に、前記環状リブとバランスリング本体は接続構造を介して接続され、前記接続構造には複数の排水孔が設けられている。
【００１２】
更に、前記接続構造は補強リブを含み、前記バランスリング本体と環状リブは複数の補強リブを介して接続され、隣接する補強リブの間に隙間を備えて排水孔を形成しており、或いは、前記接続構造は環状プレートを含み、前記バランスリング本体と環状リブは環状プレートを介して接続され、環状プレートには複数の排水孔が分布している。
【００１３】
前記環状リブとバランスリングの間の接続構造は、環状リブとバランスリングを固定接続可能であるとともに、上下に貫通する排水孔を形成して排水に適用可能である。接続構造が補強リブの場合には、構造がシンプルとなり、且つ、形成される排水孔が大きいことから、排水効果に優れる。また、接続構造が環状プレートの場合には、高水位で洗浄する際に洗浄水が槽壁沿いに上昇して上方の排水孔から溢れるとの事態をより良好に阻止可能となる。また、これらを同時に設けて接続及び支持効果をいっそう良好としてもよい。且つ、脱水効率を向上しつつ溢流を防止するとの効果を得るために、適切な数の補強リブと適切な数の排水孔を設けることを総合的に考慮してもよい。
【００１４】
前記接続構造は、バランスリング本体に設けられた外周に向かって突出する外環状突出リブを含み、前記環状リブの上端は内側に屈曲して外環状突出リブに固定接続され、前記外環状突出リブには複数の排水孔が設けられている。
【００１５】
バランスリングには外周に向かって突出する外環状突出リブが設けられており、環状リブが外環状突出リブを覆うように接続されている。これにより、バランスリングを固定可能であるとともに、環状の突出リブ及び環状の突出リブを覆うように接続される環状リブに、対応する排水孔を設置可能となる。排水孔は上下に貫通しており、脱水及び排水時にバランスリングの影響を受けないため、排水がより円滑となる。且つ、この方式は構造がシンプルであり、実現しやすい。
【００１６】
更に、前記バランスリング本体には環状の堰止リブが設けられており、環状の堰止リブはバランスリング本体の外周に向かって突出しており、前記環状の堰止リブは排水孔における排水端の上方に設けられている。
【００１７】
洗濯機は脱水時に回転数が高くなるため、水流が遠心力の働きによって排水孔から急激に噴出する恐れがある。しかし、排水孔の上方には環状の堰止リブが設けられており、水流を堰き止め可能なことから、このような事態の発生は回避される。よって、壁等の周辺環境に対する悪影響が回避され、ユーザエクスペリエンスが向上する。
【００１８】
更に、前記バランスリング本体の下端には下向きの下環状リブが設けられており、下環状リブの外壁と環状リブの内壁の間に隙間を備えて排水路を形成している。また、排水孔が排水路の上端に設けられる。
【００１９】
上記の構造によれば、脱水及び排水の際に排水を案内することで、排出された水のドラム壁沿いの円周運動を防止可能となる。よって、排水の円滑性が増し、脱水効率が向上する。
【００２０】
本発明の第２の目的は、上述した洗濯機のバランスリングを備え、槽体と、槽体の下部に装着される槽底を含み、前記バランスリングが槽体の投入口に装着されており、前記環状リブが槽体の上端に固定接続されており、槽体と槽底はいずれも密封構造である洗濯機内槽を提供することである。
【００２１】
本発明の洗濯機内槽は、バランスリングの環状リブが槽体の上端に固定接続されており、槽体と槽底がいずれも密封貯水構造となっている。これによれば、脱水は上部の排水孔によってのみ実現され、洗浄水が外槽に進入することがない。且つ、バランスリングに排水孔を設けることで、排水がバランスリングの影響を受けなくなるため、排水がより円滑となり、排水及び脱水効率がいっそう高まる。また、洗浄水が槽壁沿いに上昇して上方の排水孔から溢れるとの事態を効果的に阻止することも可能である。
【００２２】
更に、バランスリングの環状リブは槽体の投入口に挿入され、前記槽体の上端と環状リブが固定接続され、好ましくは、前記槽体の上端が外側から内側に屈曲して環状リブを覆い、槽体の上端と環状リブがリベット接合により固定される。
【００２３】
上記の方式によれば、槽体の上端により環状リブを覆うことが可能となり、且つリベット接合により固定されるため、固定強度がより高くなる。これにより、洗濯機は脱水運転時において内槽体アセンブリの歪みが小さくなるため、洗濯機の脱水運転時における振動・騒音が減少する。且つ、環状リブと槽体との密封接続が実現されるため、外槽に対する水の進入が防止される。
【００２４】
更に、前記槽体には、内径が槽体の内径よりも小さい環状の収縮構造がバランスリングの下方に設けられており、前記収縮構造は、槽体が外側から内側に凹入することで槽体の内壁に形成される環状突起であるか、或いは、収縮構造は、槽体の内壁に円周沿いに設けられる内環状突出リブである。
【００２５】
収縮構造は、槽体の上端を外側から内側にプレスしてなる槽体の内壁に向かって周設される突起である。洗浄時において、即ち、回転数がやや低い場合には、洗浄過程で遠心力の働きを受けて内槽沿いに上昇した洗浄水が当該構造部分で内槽に戻るため、上端の排水孔から排出されることがない。また、収縮構造を設けることで環状リブを固定しやすくなる。特に、収縮構造の上端が外側から内壁に向かって１８０°屈曲している場合には、密封効果が良好となり、固定強度がより高くなる。
【００２６】
本発明の第３の目的は、上記の洗濯機内槽を備える洗濯機を提供することである。
【００２７】
前記洗濯機のバランスリング又は洗濯機内槽が装着された洗濯機は、通常の洗浄時において、洗浄水が槽壁沿いに上昇して排水孔から溢れるとの事態を効果的に阻止可能である。また、脱水時の排水がより円滑となり、脱水効率に優れる。且つ、内槽とバランスリングとのリベット構造強度にいっそう優れる。これによれば、洗濯機は脱水運転時において内槽体アセンブリの歪みが小さくなることから、洗濯機の脱水運転時における振動・騒音が減少する。
【発明の効果】
【００２８】
上記の技術方案を用いることで、本発明は従来技術と比較して以下の有益な効果を有する。
【００２９】
１．本発明は、従来の洗濯機におけるバランスリングを改良し、バランスリングの外周に環状リブを設けるとともに、バランスリングと環状リブの間に複数の排水口を設けている。排水口の軸線は地面に対し垂直であり、脱水時にバランスリングの影響を受けないため、排水がより円滑となる。また、排水孔の位置が高く、且つ上下に貫通するよう設けられているため、洗浄時の回転数が低い場合には、洗浄水が槽壁沿いに上昇して排水孔から溢れるとの事態を効果的に阻止可能である。
【００３０】
２．本発明における洗濯機内槽は、槽体の上端に収縮構造が設けられており、環状リブが槽体の収縮構造の上端に固定されている。槽体の上端に設けられる収縮構造によって、洗浄水が槽壁沿いに上昇して排水孔から溢れるとの事態を効果的に阻止可能となる。また、槽体の上端を外側から内側に屈曲し、環状リブを覆うとともに、リベット接合により環状リブと固定してもよい。これにより、内槽とバランスリングとのリベット構造強度がより向上するとともに、密封が実現される。このような洗濯機は脱水運転時における内槽体アセンブリの歪みが小さいため、洗濯機の脱水運転時における振動・騒音が減少する。また、洗浄水が外槽に進入するとの事態が防止される。
【００３１】
以下に、図面を組み合わせて本発明の具体的実施形態につき更に詳細に述べる。
【００３２】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面からその他の図面を得ることも可能である。
【図面の簡単な説明】
【００３３】
【図１】図１は、本発明における節水型洗濯機の内槽の正面図である。
【図２】図２は、本発明における節水型洗濯機の内槽の正面図の部分拡大図である。
【図３】図３は、本発明における節水型洗濯機の内槽の斜視図である。
【図４】図４は、本発明における節水型洗濯機の内槽の斜視図の部分拡大図である。
【図５】図５は、実施例１の方式４の接続構造を示す図である。
【発明を実施するための形態】
【００３４】
なお、上記の図面及び文字記載は、何らかの方式で本発明の構想の範囲を制限するとの意図ではなく、特定の実施例を参考として当業者に本発明の概念を説明するためのものである。
【００３５】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００３６】
本発明の記載において、「上」、「下」、「前」、「後」、「左」、「右」、「垂直」、「内」、「外」等の用語で示される方向又は位置関係は、図面に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００３７】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００３８】
図１〜図５に示すように、本発明は洗濯機のバランスリングを提供する。当該バランスリングはバランスリング本体２を含み、前記バランスリング本体２の外周に環状リブ４が設けられている。バランスリング本体２は環状リブ４に接続され、前記バランスリング本体２と環状リブ４の間に複数の排水孔５が設けられている。
【００３９】
本発明では、バランスリング本体の外周に環状リブが設けられており、これらの間に複数の排水孔を設けている。そのため、排水孔が内槽の上端に位置し、且つ上下に貫通していることから、排水時にバランスリングの影響を受けることがない。よって、排水がより円滑となり、排水及び脱水効率がいっそう高まる。また、排水孔の位置がより高くなっているため、洗浄時の回転数が低い場合には、水が洗浄時の遠心力によって槽壁沿いに上昇したとしても、上端において槽内に落下する。よって、洗浄水が槽壁沿いに上昇して上方の排水孔から溢れるとの事態を効果的に阻止可能となる。
【００４０】
環状リブはバランスリング本体の外周に設けられており、且つ、これらは同軸線上に設置されている。好ましくは、環状リブの高さがバランスリング本体の高さ以下であり、より好ましくは、環状リブの上端がバランスリングの上端よりも低く、環状リブの下端がバランスリングの下端よりも低くなっている。これにより、バランスリングを装着しやすくなり、且つ、排水も容易となる。
【実施例１】
【００４１】
図１〜５に示すように、本実施例が提供する洗濯機のバランスリングは、前記環状リブとバランスリング本体の間に隙間を有する。環状リブとバランスリング本体は接続構造を介して接続され、前記接続構造に複数の排水孔５が設けられている。
【００４２】
上端の排水孔を設置しやすいよう、接続構造のバランスリング本体とその外周の環状リブとの間には隙間が備わっており、且つ、これらの間が接続構造を介して接続されている。これによれば、環状リブを固定することでバランスリングを装着可能なことから、構造がシンプルとなり、且つ、固定も容易である。
【００４３】
更に、前記接続構造は、補強リブ６及び／又は環状プレート（図示しない）を含む。これにより、環状リブとバランスリング本体の間には以下の方式を採用可能となる。
【００４４】
方式１：図４に示すように、バランスリング本体２と環状リブ４は複数の補強リブ６を介して接続される。隣接する補強リブの間には隙間が備わっており、排水孔５を形成している。補強リブは縦向きの補強リブである。縦向きの補強リブは、環状リブと同じ高さとして通路を形成してもよいし、環状リブの高さよりも低くすることで、バランスリングの外側壁と環状リブの内側壁の間の空間を小領域に分割し、排水しやすくするだけでもよい。当該方式は構造がシンプルであり、且つ、接続及び支持効果が良好である。また、形成される排水孔が大きいため、排水が円滑となり、排水効果に優れる。
【００４５】
方式２：バランスリング本体と環状リブは環状プレートを介して接続され、環状プレートに複数の排水孔が分布している。環状プレートは、内周がバランスリング本体に固定され、外周が環状リブに固定されるため、支持、接続及び固定効果が良好となる。また、環状プレートには複数の排水孔が設けられるため、良好な排水効果を達成可能である。
【００４６】
方式３：バランスリング本体と環状リブは、補強リブと環状プレートを介して接続される。補強リブは、環状プレートの一方の側に設けられるか、環状プレートを貫通している。また、隣接する補強リブ間の環状プレート上に排水孔が設けられている。方式１と方式２を組み合わせることで、接続及び支持効果が更に強化されるとともに、高速回転時における内槽体アセンブリの歪みを小さく維持しやすいため、洗濯機の脱水運転時における振動・騒音が減少する。且つ、複数の排水孔を設けることで、排水が円滑になるとの効果も得られる。また、本発明で記載する内槽全体としての内槽体アセンブリは、槽体、槽底及びバランスリングを含む。
【００４７】
方式４：図５に示すように、前記接続構造は、バランスリング本体に設けられた外周に向かって突出する外環状突出リブ７を含む。前記環状リブ４の上端は、内側に屈曲して外環状突出リブ７に固定接続される。また、前記外環状突出リブには複数の排水孔５が設けられている。本方式のバランスリング本体には環状の突出リブが備わっており、環状リブに覆われるよう接続されることで固定を実現している。この場合、固定効果はやや劣るものの、構造がシンプルであり、実現しやすい。また、環状の突出リブと、環状の突出リブを覆う環状リブ部分に、上下に貫通した対応する排水孔を設けることで排水の実現も可能となり、且つ、バランスリングの影響を受けることなく円滑な排水効果が得られる。
【実施例２】
【００４８】
図２〜４に示すように、本実施例のバランスリング本体２には環状の堰止リブ９が設けられている。環状の堰止リブはバランスリング本体の外周に向かって突出している。また、前記環状の堰止リブは排水孔５における排水端の上方に設けられている。環状の堰止リブは、急激な水の噴出を堰き止めつつ円滑な排水を妨害しないよう、排水孔と距離を置いて、排水孔における排水端の上方に設けられる。
【００４９】
洗濯脱水時には回転数が極めて高くなるため、水流が遠心力の働きによって排水孔から急激に噴出する恐れがある。しかし、排水孔の上方には環状の堰止リブが設けられており、水流を堰き止め可能なことから、このような事態の発生は回避される。よって、壁等の周辺環境に対する悪影響が回避され、ユーザエクスペリエンスが向上する。
【実施例３】
【００５０】
図２に示すように、本実施例のバランスリング本体の下端には下向きの下環状リブ１０が設けられている。下環状リブ１０の外壁と環状リブ４の内壁の間には隙間が備わっており、排水路１１を形成している。
【００５１】
更に、前記排水路は縦向きに配列される複数の経路から構成され、各経路の上端には少なくとも１つの排水孔が設けられている。
【００５２】
好ましくは、前記経路は主に、下環状リブに縦向きの補強リブと環状リブを組み合わせて構成される。  
【００５３】
本実施例の構造は内槽の上部に位置しており、バランスリング下方の下環状リブと外周の環状リブを利用して排水路を形成している。これにより、内槽の水の上昇が容易となり、円滑な排水にいっそう有利となる。また、縦向きの補強リブを組み合わせることで、縦向きに配列される複数の経路を形成し、各経路の上端に排水孔を設けている。これにより、排水速度が更に高まり、脱水効率が向上する。
【実施例４】
【００５４】
図１〜図５に示すように、本発明で記載する節水型洗濯機の内槽は、槽体１と、槽体の下部に装着される槽底３を含む。前記バランスリングは槽体の投入口に装着されており、前記環状リブ４が槽体１の上端に固定接続されている。また、槽体１と槽底３はいずれも密封構造である。
【００５５】
バランスリングは槽体の上部に装着されている。一般的な孔無し内槽の場合には、バランスリング下方の槽壁にのみ脱水孔が周設されるか、バランスリングの底部に開口を設けることで排水溝を形成している。そして、排水時には内槽の回転数が速くなり、大きな遠心力が発生することで、内槽と衣類の水が部分的に側壁の排水孔から排出される。しかし、水の一部は、上部まで上昇する際に上部のバランスリングの影響で内槽に落下するため、排水及び脱水効率に大きな支障が生じていた。これに対し、本発明のバランスリングは外周に環状リブが設けられており、環状リブとバランスリングの間に複数の排水孔が設けられている。そのため、脱水時に遠心力がかかると、内槽の水は上部まで上昇してそのまま排出され、バランスリングの影響を受けることがない。よって、排水がより円滑となる結果、排水及び脱水効率がいっそう向上する。また、本願の排水孔は上端に位置しており、位置が高くなっている。且つ、槽体と槽底はいずれも密封貯水構造をなしている。そのため、洗浄水が排水孔から外部に流出するとの事態についても回避可能であり、洗濯機の急激な波立ちによる洗浄水の外部流出が効果的に阻止される又は減少する結果、節水が可能となる。また、本発明の環状リブは槽体の上端に固定接続されているため、内槽とバランスリングとのリベット構造強度がいっそう向上する。これにより、洗濯機は脱水運転時における内槽体アセンブリの歪みが小さくなるため、洗濯機の脱水運転時における振動・騒音が減少する。
【００５６】
更に、バランスリングの環状リブ４は槽体１の投入口に挿入されており、前記槽体１の上端と環状リブ４が固定接続されている。
【００５７】
好ましくは、前記槽体の上端が外側から内側に屈曲して環状リブを覆い、槽体の上端と環状リブがリベット接合により固定される。
【００５８】
上記の方式によれば、槽体の上端が環状リブを覆っており、且つリベット接合により固定されているため、固定強度がより高くなる。これにより、洗濯機は脱水運転時における内槽体アセンブリの歪みが小さくなるため、洗濯機の脱水運転時における振動・騒音が減少する。且つ、環状リブと槽体との密封接続を実現可能となるため、外槽への水の進入が防止される。
【実施例５】
【００５９】
図１〜４に示すように、本実施例の槽体には、内径が槽体の内径よりも小さい環状の収縮構造８がバランスリングの下方に設けられている。前記収縮構造８は、槽体が外側から内側に凹入することで槽体の内壁に形成される環状突起である。或いは、収縮構造８は、槽体の内壁に円周沿いに設けられる内環状突出リブである。
【００６０】
収縮構造は、槽体の上端を外側から内側にプレスしてなる槽体の内壁に向かって周設される突起である。或いは、収縮構造は、槽体の内壁に円周沿いに設けられる内環状突出リブである。洗浄時において、即ち、回転数がやや低い場合には、洗浄過程で遠心力の働きを受けて内槽沿いに上昇した洗浄水が当該構造部分で内槽に戻るため、上端の排水孔から排出されることがない。且つ、当該構造により環状リブの固定も容易となる。
【００６１】
更に、バランスリングの環状リブ４は前記収縮構造８に挿入され、前記収縮構造の上端と環状リブが固定接続される。環状リブが収縮構造に係合するとともに、収縮構造に接続されることで、バランスリングの固定が実現される。よって、装着が簡単且つ容易であり、実現しやすい。
【００６２】
好ましくは、前記収縮構造の上端が外側から内側に屈曲して環状リブを覆い、収縮構造の上端と環状リブがリベット接合により固定される。この方式によれば、固定強度を強化可能であるとともに、密封を実現可能となり、外槽への水の流入が回避される。
【００６３】
より好ましくは、前記槽体の上端が外側から内壁に向かって１８０°屈曲しており、環状リブを覆うとともに、リベットにより環状リブに固定されている。
【００６４】
槽体の上端が外側から内壁に向かって１８０°屈曲している場合には、環状リブを覆いつつ、リベット接合による固定が可能となる。よって、固定強度がより高くなり、完全な密封が実現される。これにより、洗濯機は脱水運転時において内槽体アセンブリの歪みが小さくなるため、洗濯機の脱水運転時における振動・騒音が減少するとともに、外槽への水の流入も回避される。
【実施例６】
【００６５】
本実施例は洗濯機を提供する。前記洗濯機には、上述した洗濯機内槽が装着されている。
【００６６】
本発明の洗濯機は全自動洗濯機であり、パルセータ全自動洗濯機、デュアルパワー洗濯機等を含む。洗浄時には内槽の回転数が低いため、洗浄水は槽壁沿いに上昇して槽体上端の収縮構造に到達すると、槽体へと落下する。よって、仮に水位が高かったとしても、上昇した洗浄水は上端の排水口から溢れることがない。また、排水或いは脱水時には内槽の回転数が極めて高いため、内槽の水は、槽壁沿いに上昇してバランスリング本体と環状リブとの間の排水口から排出される。排水はバランスリングの影響を受けることがないためより円滑となり、脱水効率がいっそう高まる。且つ、バランスリング本体と環状リブは縦向きの補強リブを介して固定される。環状リブは、内側へ１８０°屈曲した槽体の上端により覆われるとともに、リベット接合により固定されるため、固定強度が高く、密封性に優れる。これによれば、洗濯機は脱水運転時における内槽アセンブリの歪みが小さくなるため、洗濯機の脱水運転時における振動・騒音が減少するとともに、外槽への水の流入が回避される。
【００６７】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００６８】
１  槽体
２  バランスリング本体
３  槽底
４  環状リブ
５  排水孔
６  補強リブ
７  外環状突出リブ
８  収縮構造
９  環状の堰止リブ
１０  下環状リブ
１１  排水路
【図１】
2019537465.tif 000003
【図２】
2019537465.tif 000004
【図３】
2019537465.tif 000005
【図４】
2019537465.tif 000006
【図５】
2019537465.tif 000007
【国際調査報告】
2019537465.tif 000008
2019537465.tif 000009
2019537465.tif 000010
2019537465.tif 000011